(57)【特許請求の範囲】
【請求項１】
無地視標を表面に付着した一枚の無地視標板と、該無地視標板とほぼ同じ平均輝度の縦縞視標を表面に付した複数の縦縞視標板とからなるプリファレンシャル・ルッキング法を用いた縞視力カード式の視力検査具であって、
該無地視標板と該縦縞視標板は同一形状に形成され、複数の縦縞視標板には縞幅が視力に応じて異なる縦縞視標がそれぞれ付けられ、該無地視標板と該縦縞視標板の縁部に、該視標板を検査人が把持するための把持部が設けられ、該把持部は、検査人が指で挟んで把持可能な突出部として、前記無地視標板と縦縞視標板の相反する一側部に形成され、該無地視標板と該縦縞視標板を重ね合わせて配置した際、該無地視標板と該縦縞視標板を相互に保持させるためのホルダー部が該無地視標板または該縦縞視標板の縁部に設けられたことを特徴とする視力検査具。
【請求項２】
前記ホルダー部は、無地視標板の上縁部と下縁部に、該無地視標板の裏側に重ねられた縦縞視標板の縁部を挟持するように、Ｌ字型またはコ字型に形成されたことを特徴とする請求項１記載の視力検査具。
【請求項３】
前記無地視標板の把持部の元部に、該無地視標板の裏側に重ねて差し入れられた縦縞視標板の縁部を所定位置で当てて停止させるためのストッパー部が形成されたことを特徴とする請求項１記載の視力検査具。
【請求項４】
前記無地視標板と縦縞視標板の裏面に、被検者の興味を当該検査具に向けさせるためのキャラクター絵が付されている請求項１記載の視力検査具。
【請求項５】
前記無地視標板または縦縞視標板の内部に、前記キャラクター絵に関連した音声を発生するスピーカ、音声信号を記憶し再生した音声信号を該スピーカに出力する音声発生回路、及び該音声発生回路の電源となる電池が内蔵されたことを特徴とする請求項４記載の視力検査具。
【発明の詳細な説明】
【０００１】
【発明の属する技術分野】
本発明は、プリファレンシャル・ルッキング法（preferential looking法、以下ＰＬ法と省略する。）により乳幼児、発達遅延児等の視力を検査する縞視力カード式の視力検査具に関する。
【０００２】
【従来の技術】
略三歳児以上の幼児の場合、ランドルト氏環視標による視力検査が可能であるが、三歳児未満の乳幼児等は自覚的検査が不可能なため、ランドルト氏環視標による視力検査は行えない。
【０００３】
そこで、従来では、乳幼児や発達遅延児に対してＰＬ法による視力検査が試みられている。このＰＬ法による視力検査は、乳幼児に白色無地と白黒縞模様の２つの円板を同時に見せると、乳幼児はその縦縞模様を認知した時、直ちにその縞模様を見るという心理学的効果に基づいて考えられた方法である。
【０００４】
この視力検査法は、スクリーン上に２つの視標（縦縞模様視標と無地の白色視標）を同時に選択的に投影し、この時、被検者の目の動きを観察しながら、被検者が縞視標を見かたか否かを判定し、次第に縞模様の幅を狭くしていき、判定不能になるまで検査を行う。しかし、この視力検査装置は、２つの視標を投影するためのスクリーンやプロジェクタ及びプロジェクタのコントローラを有し、このために、装置が大がかりとなり、検査を行うために、専用の場所と人員を必要とし、眼科医院などの日常の外来において、簡単に検査が行えない問題があった。
【０００５】
【発明が解決しようとする課題】
そこで、本出願人は、実公平３−３５２８２号公報などにおいて、簡単な器具を用いて一人の検査人で乳幼児の視力検査を容易に実施することができる視力検査具を提案した。この視力検査具は、無地視標を表面に付した一枚の無地視標板と、無地視標板とほぼ同じ平均輝度の縦縞視標を表面に付した複数の縦縞視標板とからなり、検査人が無地視標板と縦縞視標板を無地の方を上に重ねて被検者に見せ、次に、無地視標板と縦縞視標板を左右に開くように動かして、被検者の目の動きを見るようにして、検査を行う。
【０００６】
しかし、この従来の無地視標板と縦縞視標板は、検査人が片手で持つことが可能な大きさの円板状に形成されているだけであるため、被検者に対し、無地視標板と縦縞視標板を重ね合わせて示し、その後、無地視標板と縦縞視標板を開くように提示する際、持ちにくく操作しにくいという問題があった。
【０００７】
すなわち、円板形の無地視標板と縦縞視標板は、検査人の手や指によって隠れた部分がないように、被検者に見せる必要があるため、検査人はその円板形の無地視標板と縦縞視標板の縁を平面方向に指で押えて把持し、動かすことになる。このため、重ね合わせた状態の無地視標板と縦縞視標板を離して開くように操作することが難しく、操作し易い視力検査具が要望されていた。
【０００８】
本発明は、上記の点に鑑みてなされたもので、検査人が無地視標板と縦縞視標板を手の指で容易に持って検査することができる視力検査具を提供することを目的とする。
【０００９】
【課題を解決するための手段】
上記目的を達成するために、本発明の視力検査具は、無地視標を表面に付着した一枚の無地視標板と、該無地視標板とほぼ同じ平均輝度の縦縞視標を表面に付した複数の縦縞視標板とからなるプリファレンシャル・ルッキング法を用いた縞視力カード式の視力検査具であって、
該無地視標板と該縦縞視標板は同一形状に形成され、複数の縦縞視標板には縞幅が視力に応じて異なる縦縞視標がそれぞれ付けられ、該無地視標板と該縦縞視標板の縁部に、該視標板を検査人が把持するための把持部が設けられ、該把持部は、検査人が指で挟んで把持可能な突出部として、前記無地視標板と縦縞視標板の相反する一側部に形成され、該無地視標板と該縦縞視標板を重ね合わせて配置した際、該無地視標板と該縦縞視標板を相互に保持させるためのホルダー部が該無地視標板または該縦縞視標板の縁部に設けられたことを特徴とする。
【００１４】
また、このホルダー部は、無地視標板の上縁部と下縁部に、無地視標板の裏側に重ねられた縦縞視標板の縁部を挟持するように、Ｌ字型またはコ字型に形成することができる。
【００１５】
また、無地視標板の把持部の元部には、無地視標板の裏側に重ねて差し入れられた縦縞視標板の縁部を、所定位置で当てて停止させるためにのストッパー部を設けると良い。
【００１７】
更に、無地視標板と縦縞視標板の裏面には、被検者の興味を当該検査具に向けさせるためのキャラクター絵を付すことができる。
【００１８】
更に、前記無地視標板または縦縞視標板の内部には、キャラクター絵に関連した音声を発生するスピーカ、音声信号を記憶し再生した音声信号をスピーカに出力する音声発生回路、及び音声発生回路の電源となる電池を内蔵することができる。
【００１９】
【作用】
このような構成の縞視力カード式の視力検査具を用いて乳幼児等の視力検査を行う場合、まず、検査人は、無地視標板を前に縦縞視標板を後ろに重ね合わせて被検者の目の高さに提示し、次に、無地視標板と縦縞視標板を左右に同じ速度でスライドさせて開くように動かす。この時、検査人は、両視標板の把持部を持って両視標板を動かすことができ、視標板の前面を少しも隠さずに、被検者に提示し、動かすことができる。そして、検査人は、その際の被検者の目の動きを見て、或は被検者に縦縞視標板の方を指さすように言って、被検者が縦縞視標を見たか否かつまり縦縞を認知できたか否かを判定する。そして、それに応じて縦縞視標を取り替えて検査を進め視力値を決定する。
【００２０】
【発明の実施の形態】
以下、本発明の実施の形態を図面に基づいて説明する。視力検査具は一枚の無地視標板１と複数の縦縞視標板（図４、図８、図９は代表的な３種類の縦縞視標板２〜４を示す）とから構成され、縦縞視標板２〜４には、図４、８等に示すような縞幅の異なる縦縞視標がそれぞれ設けられる。
【００２１】
無地視標板１と複数の縦縞視標板２〜４は、例えば直径９cmの円板状に形成され、図３に示すように、円形のプラスチック板２ｃの上面に無地視標またはそれぞれの縦縞視標２ｄを付着して構成される。さらに、これらの無地視標板１と複数の縦縞視標板２〜４の縁部の一側部には、プラスッチック板２ｃを延設する形態で、把持部１ａ，２ａ，３ａ，４ａが突設される。これらの把持部１ａ〜４ａは、検査人が親指と人差し指で挟んで把持可能な円弧状突出部として、無地視標板１には向かってその右側の側部に把持部１ａが真横に向けて突設され、縦縞視標板２〜４には向かって左側の側部に、各々把持部２ａ，３ａ，４ａが真横に向けて設けられる。
【００２２】
複数の縦縞視標板は、視力値に応じて例えば６種類の視標板として形成することができ、それらの縞幅は例えば１６mm、８mm、４mm、２mm、１mm、０．５mmに設定され、検査距離５０ｃｍにおける各々の視力値は、縞幅１６mmの場合、０．００９、縞幅８mmの場合、０．０１８（図４）、縞幅４mmの場合、０．０３６（図８）、縞幅２mmの場合、０．０７２（図９）、縞幅１mmの場合、０．１５、縞幅０．５mmの場合、０．２９となる。
【００２３】
このような縦縞視標は、例えばコンピュータグラフィックスを用いて作成することができ、ディスプレイに表示された円形の縦縞視標を正確な寸法（縞幅の寸法）に形成して、それを透明または白色フィルム上などに印刷し、所定の円板状に裁断したものを、同形のプラスチック板に接着して製作される。縦縞のコントラストは、自然視に近い視標とするために、あまり高くない方が好ましく、コントラスト比を例えば８０％以下とする。また、縦縞の色は灰色等の無彩色が良い。
【００２４】
一方、無地視標板１には縦縞の地色に近い無地視標が取着されるが、この無地視標と全ての縦縞視標の平均輝度は略同一となるように、例えば約１５０ｃｄ／ｍ2 に設定される。各視標板の平均輝度を同じにすることにより、被検者が視標の輝度に左右されずに、ＰＬ法による視力検査が可能なようにしている。
【００２５】
更に、無地視標板１の上縁部と下縁部には、無地視標板１と縦縞視標板２〜４を重ね合わせて配置した際、無地視標板１と縦縞視標板２〜４を相互に保持させるためのホルダー部１ｂ，１ｃが設けられる。
【００２６】
このホルダー部１ｂ，１ｃは、プラスチックによりＬ字型またはコ字型に形成され、無地視標板１の上縁部と下縁部に内側つまり裏面側に向けて固定され、無地視標板１の裏側に重ねられた縦縞視標板２〜４の縁部を上下から挟持して保持するように作用する。また、ホルダー部１ｂ，１ｃは小幅で無地視標板１の上縁部と下縁部に設けられるため、無地視標板１と縦縞視標板２〜４を左右に水平方向に動かした場合、容易に重ね合わせて保持させたり、左右に離すことができる。また、ホルダー部１ｂ，１ｃは無地視標板１の縁部から縦縞視標板２〜４の裏面に当接して保持するようにしているから、縦縞視標板２〜４の表面を傷つけることはない。
【００２７】
更に、無地視標板１の把持部１ａは、図３に示すように、その表面部が前面側にその厚さ方向に突き出し、把持部１ａの元部にストッパー部１ｄを形成している。このストッパー部１ｄは、無地視標板１の前面に縦縞視標板２〜４を差し込んだ際、縦縞視標板２〜４の縁部を当ててそれを定位置で停止させるためのストッパーとして機能する。
【００２８】
図６、図７に示すように、無地視標板１と縦縞視標板２〜４の裏面には、被検者となる乳幼児等に対し、視標板に興味を持たせるために、つまり視標板の方に注意を向けさせるために、乳幼児等が興味を持ちそうなキャラクター絵が付されている。また、図６のように、縦縞視標板２〜４の裏面には、検査人のために、縦縞の方向を示す矢印、測定距離、及び視力値が記載されている。
【００２９】
次に、上記視力検査具を使用して行うＰＬ法による視力検査を説明する。まず、被検者となる乳幼児等を母親等の膝の上に座らせ、リラックスした状態にする。そして、検査人は、被検者の前方約５０ｃｍのところに座り、例えば０．０１８の視力値から検査を開始する場合、無地視標板１と縦縞視標板２を重ねて手に持つ。
【００３０】
この時、図６、図７に示すような無地視標板１や縦縞視標板２の裏面に付されたキャラクター絵を乳幼児等の被検者に見せて、視標板に興味を持たせると良い。また、被検者が２歳位の幼児で、縦縞視標板２を指して言葉で表現できる場合には、検査に入る前に、幼児に縦縞視標板２を手に取って見させ、「これはしましま」などというように、縦縞視標板２に興味を持たせておくことにより、２歳以上の被検者には、縦縞視標が視認できた時、それを正確に表現させ、検査を行い易くすることができる。
【００３１】
そして、検査人は、図１０に示すように、例えば縦縞視標板３を使用する場合を例にとると、右手の人差し指と親指で無地視標板１の右側の把持部１ａを挟むように持ち、左手の人差し指と親指で縦縞視標板３の左側の把持部３ａを挟むように持ち、無地視標板１を前にして縦縞視標３を後ろに隠すように視標を被検者の目の高さに提示する。
【００３２】
このとき、無地視標板１の上縁部と下縁部にホルダー部１ｂ，１ｃが設けられ、無地視標板１と縦縞視標板３を重ね合わせた際、無地視標板１と縦縞視標板３が相互に保持されるため、検査人は片手で何れかの把持部１ａまたは３ａを持って容易に保持することができる。
【００３３】
そして、検査人は、図１０のごとく、両方の視標板を左右に同じ速度で開くようにつまり離すように動かし、両方の視標板を左右に提示する。そして、被検者が縦縞視標板３の方を見たかどうかを或はその縦縞視標を視認したかどうかを検査人は判定する。
【００３４】
この時、例えば被検者が１歳６か月前後の幼児の場合、縦縞視標を認知できたとしても、それを指さしたり言葉で表現することができないため、検査人は被検者の眼球の動きを見ながら被検者が縦縞指標を見たか否かを判定する。
【００３５】
上記視力検査は、まず両眼開放状態で行い、次に片眼づつアイパッチを貼り、片眼づつ検査を行う。また、この検査は同じ視力値の視標板を使用して例えば４回視標を提示し、被検者の正答率が７５％以上の場合、もう一段上の視力値（例えば視力値０．０１８のときは視力値０．０３６のもの）に変えて検査を続け、正答率が７５％未満になった場合、一段下の視力値を測定結果とする。
【００３６】
このように、検査人は無地視標板１と縦縞視標板２〜４を手に持って動かすだけでＰＬ法による視力検査を実施でき、眼科医院の外来などにおいて簡単に乳幼児の視力検査をすることができる。また、無地視標板１と縦縞視標板２〜４には、その縁部の相反する一側部に、円弧状突出部として把持部が突設されているから、検査人はその把持部を親指と人差し指で挟んで、視標の前面を隠さずに容易に把持することができ、簡単にかつ確実に視標板を把持し、重ね合わせたりそれを離すように開いたりの操作を、簡単に行うことができる。また、無地視標板１と縦縞視標板２〜４は、それを重ね合わせた際、ホルダー部１ｂ，１ｃによって相互に保持されるから、無地視標板と縦縞視標板を片手で持って提示することもできる。
【００３７】
なお、上記ホルダー部１ｂ，１ｃは、無地視標板１の上縁部と下縁部に設けたが、無地視標板と縦縞視標板を相互に保持できればよいから、縦縞視標板２〜４に設けることもできる。
【００３８】
図１１は、他の実施形態の無地視標板１０を示している。この無地視標板１０には、上縁部のホルダー部１０ｂと下縁部のホルダー部１０ｃに加えて、その向かって左側に突設した把持部１０ａの元部に、第三のホルダー部１０ｄが設けられる。このホルダー部１０ｄは、上記実施例のストッパー部１ｄに変えて設けることができ、裏面に重ね合わせるように差し込まれた縦縞視標板を、定位置で停止させ、保持することができる。また、この把持部１０ａには、裏面に滑り止め層１０ｅが付されている。この滑り止め層１０ｅにより、把持部１０ａを指で把持した際、その滑りを防止することができる。
【００３９】
図１２は、更に別の実施形態の無地視標板１１を示している。この無地視標板１１の内部には、その表面に付されたキャラクター絵に関連した音声を発生するための電子音声発生装置１５が内蔵される。この無地視標板１１は表板と裏板の間に空間を持って形成し、この内部空間に電子音声発生装置１５を配設する。この電子音声発生装置１５は、音声を発生するスピーカ１６、音声信号を記憶し再生した音声信号をスピーカ１６に出力する音声発生回路１３、スイッチ１４、及び音声発生回路１３の電源となる電池１２から構成される。スイッチ１４は把持部１１ａ内に設けられる。把持部１１ａのスイッチ１４をオンすると、音声発生回路１３が動作し、キャラクター絵に関連した音声、例えば犬のキャラクター絵であれば犬の鳴き声等をスピーカ１６から発生させる。
【００４０】
このようなキャラクター絵に関連した音声を発生させることにより、検査を開始する際、被検者の幼児等が容易に視標板に興味を持つようにすることができる。なお、電子音声発生装置１５は縦縞視標板に内蔵することもできる。
【００４１】
また、上記実施形態では、無地視標板と縦縞視標板の把持部は、何れも、向かって左側或は右側の側部（９時位置または３時位置）に真横に向けて突設したが、斜め上方位置（略１０時位置または略２時位置）に或は斜め下方位置（略８時位置または略４時位置）に設けることもでき、また、両側の側部（９時位置と３時位置）に或は両側の斜め上方位置（略１０時位置と略２時位置）に或は斜め下方位置（略８時位置と略４時位置）に突設することもできる。
【００４２】
特に、把持部を無地視標板と縦縞視標板の両側側部に或は両側斜め位置に突設した場合、重ね合わせた無地視標板と縦縞視標板を片手で容易に持つことができるため、無地視標板に設けたホルダー部を省略することができ、構造的に簡単化することができる。
【００４３】
【発明の効果】
以上説明したように、本発明の視力検査具によれば、検査人が無地視標板と縦縞視標板を手に持ってＰＬ法による視力検査を実施する際、その把持部を指などで挟んで、視標の前面を隠さずに容易に把持することができ、簡単にかつ確実に視標板を把持して、重ね合わせたりそれを離すように開いたりの操作を、簡単に行うことができる。また、無地視標板と縦縞視標板を重ね合わせて配置した際、無地視標板と縦縞視標板を相互に保持させるためのホルダー部を、無地視標板または縦縞視標板の縁部に設ける構造とすれば、片手で両視標板を重ね合わせて持つこともでき、容易にそれを離すように開くことができる。
【図面の簡単な説明】
【図１】本発明の一実施形態を示す無地視標板１の正面図である。
【図２】無地視標板１のII-II 断面図である。
【図３】無地視標板１のIII-III 断面図である。
【図４】縦縞視標板２の正面図である。
【図５】縦縞視標板２のIII-III 断面図である。
【図６】縦縞視標板２の背面図である。
【図７】無地視標板１の背面図である。
【図８】縦縞視標板３の正面図である。
【図９】縦縞視標板４の正面図である。
【図１０】検査時の無地視標板１と縦縞視標板３の動きを示す説明図である。
【図１１】他の実施形態の無地視標板１０の背面図である。
【図１２】他の実施形態の無地視標板１１の正面破断図である。
【符号の説明】
１−無地視標板
２、３、４−縦縞視標板
１ａ，２ａ，３ａ，４ａ−把持部
１ｂ，１ｃ−ホルダー部
【図１】
0003639952.tif 000002
【図２】
0003639952.tif 000003
【図３】
0003639952.tif 000004
【図４】
0003639952.tif 000005
【図５】
0003639952.tif 000006
【図６】
0003639952.tif 000007
【図７】
0003639952.tif 000008
【図８】
0003639952.tif 000009
【図９】
0003639952.tif 000010
【図１０】
0003639952.tif 000011
【図１１】
0003639952.tif 000012
【図１２】
0003639952.tif 000013